(57)【要約】本発明は文字入力方法に関することで, 特にキーボードに配置される子音および母音の配置を効率的にして, 移動通信装置のボタンを見なくて難なく文字を使うことができて, コンピュータのマウスのような機能も一緒にする文字入力方法を提供するところにある。また, 電話番号を検索する時, 検索する名前の子音だけ入力して探そうと思う電話番号を難なく探すことができる文字入力方法を提供することができる。 また, 移動通信に備わったメモリーに使用者がしばしば使う文句を保存して, 上記 文句の前字だけ入力しても, 保存された文句がディスプレーに入力されて, 難なく文字メッセージを入力できる文字入力方法を提供することができる。 また, 文書機能を添加して, 文字入力部に文字を入力した後文書機能を使って, 望む国を選択した時, 選択した国の言語で入力された文字が変換されて, 従来より実用的な文字入力方法を提供することができる。【選択図】  図１
2009515272.tif 000002
【特許請求の範囲】
【請求項１】
移動通信端末機および電話機に使われる文字入力方法において,
頻繁に使う文章が 上記 移動通信装置および電話機に備わったメモリーに保存されて, キーボードを使って, 文章に使われた字の初めの子音を入力した時, 完成された文章が入力されながら, 電話番号を検索する時, 検索する名前に使われた字の初めての子音だけを入力して, 電話番号を検索できるのを特徴とする文字入力方法。
【請求項２】
請求項1項において,
上記 メモリーに保存される文章は任意に添加, 修正および削除できて, 上記 メモリーに保存された文章が入力される方式を選択することによって, 上記 メモリーに保存された文章を構成する字の初めての子音を入力する時, 全体文章が入力されること他にも, 上記 メモリーに保存された文章の最初の文字を入力した時も, 保存された 文章全体が 入力されることができるのを特徴とする文字入力方法。
【請求項３】
請求項1および請求項2において,
上記 移動通信端末機および電話機により辞書機能が添加されて, 単語を入力した後,変換メニューを使って, 望む国家の言語を選択した時, 入力された単語が 上記の選択した国家の言語に変換されるのを特徴とする文字入力方法。
【請求項４】
請求項3において,
上記辞書機能は, 上記メモリーに保存された文章は文章の初めの子音だけ入力すれば完成された文章が入力されて, 上記 事前機能を使用できるのを特徴とする文字入力方法。
【請求項５】
2009515272.tif 000049
2009515272.tif 000050
【請求項６】
2009515272.tif 000051
【請求項７】
2009515272.tif 000052
2009515272.tif 000053
2009515272.tif 000054
【請求項８】
請求項7において,
子音が入力されなかった状態で母音だけ入力する場合, 上記 子音が入力されなくて, 入力バー移動(134)を1回打鍵した後, 上記 母音が配置されたキーボードを押せば子音が入力されなかった状態で母音だけを入力できるのを特徴とする文字入力方法。
【請求項９】
請求項8において,
子音と母音を容易に区別されて記号および特殊文字を簡単に選択できて, 子音だけ選択した単語を簡単に使用できて, 母音だけ選択されない母音キーは左右上下に移動になるのでコンピュータ マウスの役割になりながら, 選択キー(114)は選択検索ができて後に移動キー(111)またはこれから移動するのに(112)で画面(ページ)を後に,これから移動できて, コンピュータの画面移動機能も合わせることを特徴とする文字入力方法。
【請求項１０】
移動通信端末機に使われる日本語入力装置において,
日本語の子音の'あ','か','さ','た','な','は','ま','や','ら'および'わ'をキーボード(220)の数字ボタンに1から0まで日本語の子音を順に割り当てて, 上記 キーボード(220)の数字ボタンを入力して選択された 上記 日本語の子音を'a','i','u','e' 'o'の母音が配置されたキーボード(210)を選択して,入力すれば選択された音節は文字と表示されて, 上記 入力された日本語の文字を 上記 キーボード(220)の #ボタンを入力すればカタカナに変換させて, 日本語の文字を入力できて, 上記 キーボード(210)を打鍵して, 日本語文字を入力する時, 上記 キーボード(210)を長く入力すれば, 上記 キーボード(210)打鍵時入力される日本語文字に濁音が表示されて, 上記 キーボードを3回連続打鍵してすれば, 上記 キーボード(210)打鍵時入力される文字に反濁音が表示されるのを特徴とする文字入力方法。
【請求項１１】
請求項10において,
辞典機能が備わっていて, 使用者がメニューキー(240)を選択して,会話辞書を選択してキーボード(250)で英語日本語中国語などを選択しようと思う時翻訳しようと思う国を選択すれば, 使用者が入力した単語に該当する単語が翻訳されて入力されて, メニューキー(250)によって入力方式を数字入力に変換した場合, 各々'a'が表示されたキーボードは′+′で, 'i'が表示されたキーボードは′=′で, 'u'が表示されたキーボードは′÷′で, 'e'が表示されたキーボードは′-′で, 'o'が表示されたキーボードは'×'で入力方式が変換されて, キーボード(210)を打鍵して, 文字を入力する時, 上記 キーボード(210)を4回打鍵して, 入力すれば, 文字入力バーが移動して, 上記 ひらがなとカタカナを変換するキーボードは 上記 キーボード(220)に配置された #キーボードで, しばしば使う記号および特殊文字は 上記 キーボード(220)に配置された*キーボード(222)に選択されるのを特徴とする入力方法。
【発明の詳細な説明】
【技術分野】
【０００１】
本発明は移動通信端末機での文字入力方法に関することとして, 特に母音をキーボタンに効果的に配列して, 特殊キーを使って頻繁に使う特殊文字を入力することができるようにして使用者でとって簡単にハングル文字を入力できる装置に関することだ。
【背景技術】
【０００２】
従来の移動通信端末機のハングル入力システムで使う入力方式には座標方式, 連打方式および自訴解体方式 がある。座標方式は液晶画面に入力しようとする慈母（子母音）を移動するようにカーソルを動かして, 選択する方式で, 連打方式は一つの背に2〜3個の子音および母音を配置して, 背を何度も押して, 子音や母音を入力する方式で, 自訴解体方式は最近最も多く使う'天地人'でも'ナラックル2000'方式で一つの子音または母音をさらに小さい基本型単位で解体して, これらを組み合わせて, 文字を入力する方式だ。
【０００３】
座標方式は表示された文字列中で望む文字を選択するからいちいち確認しなければならないわずらわしさがあって, 連打方式は背入力の回数が多いから実用的でない。 最も多く使われる自訴解体方式が最も多く使われているのにこの方式はやはりある自訴の具現のために色々な背を利用しなければならないので使用がわずらわしくてボタンを押す回数が多かった。
【０００４】
2009515272.tif 000003
【０００５】
すなわち, 既存の装置ではキーボードボタンを反復的に押して, 文字を入力しなければならないので文字を入力する方法が複雑になってこれを通じて, 移動端末機の使用者が不便さを感じる問題点があった。
【０００６】
また, 近代に入って, 電機電子技術が急速に発展することによってポケベル, CDMA, PCS, TDMA, GSM, AMPS, IMT-2000等と同じ多様な方式の通信用端末装置やPDA, ゲーム機, リモート コントロール, カメラ, 家電機器などと同じ各種電子機器らが小型化, 先端化されている。
【０００７】
情報通信の発達によって移動通信端末機, TV, IMT 2000等情報をやり取りする機器らの使用が増えながら, 移動通信端末機や電話機などを利用して, 文字を入力することが多くなっている。無線通信の発達に今日、移動通信端末機はなくてはならない必需品に成っていっていて, よりましな付加サービスの提供で携帯電話を利用した文字メッセージ送信とメール送受信など小さい移動通信端末機のキーボードを利用することが多くなった。
【０００８】
よく知られた通り, この世の中に存在する文字の種類は多いが, 単位音節に意味が与えられるかの有無により表音文字と表意文字の2種類で大別することができる。
【０００９】
また他の観点によれば, 単位音節を音素で分離できるのかの有無により音素文字と音節文字の2種類で大別することができる。
【００１０】
続いて, 上記 表音文字の代表格で英語と日本語そして韓国語を挙げられ, 表意文字では中国語を例にあげられるし, 音節文字の代表格では日本語を, 音素文字の代表格では英語と韓国語を挙げられる。
【００１１】
そして, 日本語はひらがな, カタカナそして, 漢字で構成されながら, ひらがなは漢字の草書体を基盤で作られたことで印刷, 筆記などのすべての場合に使用できて, カタカナは外国語, 外来語, 擬声語, 擬態語, 記事, 動植物の名前および電報などに使う。
【００１２】
だが, 最近になって急速に増加しているマルチメディア端末機(携帯電話およびPDAなど)には日本語を簡単で効率的に入力できる装置を開発するということは非常に技術的に大変だ。
【００１３】
それだけでなく, 実際現存する日本語文字入力装置の場合文字合成規則も複雑で日本語の音節に該当するアルファベット一つを入力するのに必要なキーの操作回収も途方もなく多いから使う人々が不便に思うことが問題点と指摘されていた。
【００１４】
詳述した通り, 音節文字の日本語の音節に該当するアルファベットを音節単位で分けて, 各背に割り当てる場合には, 変移文字生成のための別途のファンクションキーが用意されなければならない。
【００１５】
特に, ひらがなとカタカナを並行して使う場合または濁音や反濁音を入力しなければならない場合には背の操作回収がより一層増加することになる。
【００１６】
したがって, 日本語を直接入力できる機能を具備した端末機が殆どなかったし, 日本語を入力する機能を具備した端末機といってもいちいち字を検索して, 入力しなければならず、ボタンを何度も押して, 入力しなければならないから使用者が利用するにあたって不便だという点が問題点と指摘されていた。
【発明の開示】
【発明が解決しようとする課題】
【００１７】
留意の問題点を解決するための本発明の目的は, キーボードに配置される子音および母音の配置を効率的にして,  移動通信装置のボタンを見なくて難なく文字を使うことができて, コンピュータのマウスのような機能も一緒にする文字入力方法を提供するところにある。
【００１８】
また,本発明の目的は, 電話番号を検索する時, 検索する名前の子音だけ入力して探そうと思う電話番号を難なく探すことができる文字入力方法を提供するところにある。
【００１９】
また, 本発明の目的は, 移動通信に備わったメモリーに使用者がしばしば使う文句を保存して, 上記 文句の前字だけ入力しても, 保存された文句がディスプレーに入力されて,難なく文字メッセージを入力できる文字入力方法を提供するところにある。
【００２０】
また, 本発明の目的は, 辞典機能を添加して, 文字入力部に文字を入力した後辞典機能を使って, 望む国を選択した時, 選択した国の言語で入力された文字が変換されて, 従来よりも実用的な文字入力方法を提供するところにある。
【００２１】
また, 本発明のまた他の目的は, 日本語の文字を入力できる移動通信端末機のキーボード(220)に‘あ','か','さ','た','な','は','ま','や','ら'および'わ'が数字ボタンに1から0まで日本語が順に割り当てられて配置された上記数字ボタンを打鍵し, 上記打鍵された日本語を‘a',‘i',‘u',‘e' ‘o'の母音が配置されたキーボード(210)を選択して,入力することによって, 日本語文字を入力するものの, 上記 入力された日本語の文字を 上記 キーボード(220)の#ボタンを入力すればカタカナにも手軽に転換可能な文字入力方法を提供するところにある。
【００２２】
また, 本発明のまた他の目的は, 文字を打鍵した後, カタカナで文字を変換する場合にはキーボード(210)に移動して, キーボード(214)で選択すれば文字にうすいだいだい土台色で選択して #を選択すれば, ひらがなでカタカナに変換されるのを提供するところにある。
【００２３】
また, 本発明の目的は, 日本語の文字を表わすキーボードを長く押せば濁音が表示されて, 上記 キーボードを3度連打すれば, 反濁音が表示されることによって, 濁音と反濁音を表わすことによって簡単な操作だけでも日本語の文字を入力できる文字入力方法を提供するところにある。
【００２４】
また, 本発明の目的は, 日本語文字入力方法は, 辞典機能を添加して, 文字入力部に文字を入力した後, 辞典機能を使って, 望む国を選択した時, 選択した国の言語で入力された文字が変換されて, より実用的な文字入力方法を提供するところにある。
【００２５】
また, 本発明の目的は, 携帯電話とコンピュータとともに, 海外旅行をする時, 会話辞典を使うことによって, 言語障壁も解決できる文字入力方法を提供するところにある。
【００２６】
また, 本発明の目的は, SKテレコム, KTF, LGテレコムの無線テレコム会社はインターネット会社のネイバー, ダウム, ヤフーのようなインターネット会社を創り出して有線会社のKTとハナロ通信もインターネット会社を創り出して教育用インターネット リモコン会社を創り出すことによって, 難しい時期の今より多い働き口を創出できる文字入力方法を提供するところにある。
【００２７】
また, 本発明の目的は, 現在韓国において4800万人口でインターネットが約1200万台、携帯電話が3600万台で,日本では1億3000万人中インターネットが約3000万、携帯電話が9000万台インターネットは家族らと共に使うのに, 携帯電話コンピュータは個人が使って, 安全に寄与することによって, 一般PCより, DMBより, 3倍以上付加価値がある文字入力方法を提供するところにある。
【００２８】
また, 本発明の目的は, ノートブックよりとても小さい携帯電話大きさのコンピュータを開発したというところにある。 また韓国と日本の携帯電話をコンピュータ化する文字入力方法を提供するところにある。
【課題を解決するための手段】
【００２９】
詳述した目的を達成するための本発明の文字入力方法は, 移動通信端末機および電話機に使われる文字入力方法において, 頻繁に使う文章が 上記 移動通信装置および電話機に備わったメモリーに保存されて, キーボードを使って, 文章に使われた字の初めての子音を入力した時, 完成された文章が入力されながら, 電話番号を検索する時, 検索する名前に使われた字の初めての子音だけを入力して, 電話番号を検索できるのを特徴とする。
【００３０】
また, 本発明にともなう文字入力方法は, 上記 メモリーに保存される文章は任意に添加, 修正および削除できるのを特徴とする。
【００３１】
また, 本発明にともなう文字入力方法は, 上記 メモリーに保存された文章が入力される方式を選択することによって, 上記 メモリーに保存された文章を構成する字の初めての子音を入力する時, 全体文章が入力されること他にも, 上記 メモリーに保存された文章の最初の文字を入力した時も, 保存された文章全体が入力されることができるのを特徴とする。
【００３２】
また, 本発明にともなう文字入力方法は, 上記 移動通信端末機および電話機に事前機能が添加されて, 単語を入力した後, 変換メニューを使って, 望む国家の言語を選択した時, 入力された単語が 上記 選択した国家の言語に変換されるのを特徴とする。
【００３３】
また, 上記事前機能は, 上記 メモリーに保存された文章は文章の初めての子音だけ入力すれば完成された文章が入力されて, 上記 事前機能を使用できるのを特徴とする。
【００３４】
2009515272.tif 000004
【００３５】
2009515272.tif 000005
【００３６】
2009515272.tif 000006
【００３７】
また, 本発明にともなう文字入力方法は, 子音が入力されなかった状態で母音だけ入力する場合, 上記 母音が入力されなくて, 入力バー移動するために(134)を1回打鍵した後, 上記 母音が配置されたキーボードを押せば子音が入力されなかった状態で母音だけを入力できるのを特徴とする。
【００３８】
また, 本発明にともなう文字入力方法は子音と母音を容易に区別されて記号および特殊文字を簡単に選択できて, 子音だけ選択した単語を簡単に使用できて, 母音だけ選択されない母音キーは左右上下に移動になるのでコンピュータ マウスの役割になりながら, 選択するのに(114)は選択検索ができて後に移動するのに(111)またはこれから移動するのに(112)で画面(ページ)を後に, これから移動できて, コンピュータの画面移動機能も一緒にするのを特徴とする。
【００３９】
また 本発明にともなう文字入力方法の他の実施例には, 日本語の子音の'あ','か','さ','た','な','は','ま','や','ら'および'わ'をキーボード(220)の数字ボタンに1から0まで日本語の子音を順に割り当てて, 上記 キーボード(220)の数字ボタンを入力して選択された 上記 日本語の子音を‘a',‘i',‘u',‘e' ‘o'の母音が配置されたキーボード(210)を選択して, 入力すれば選択された音節は文字と表示されて, 上記 入力された日本語の文字を 上記 キーボード(220)の#ボタンを入力すればカタカナに変換させて, 日本語の文字を入力できて, 上記 キーボード(210)を打鍵して, 日本語文字を入力する時, 上記 キーボード(210)を長く入力すれば, 上記 キーボード(210)打鍵時入力される日本語文字に濁音が表示されて, 上記 キーボードを3回連続打鍵して, 入力すれば, 上記 キーボード(210)打鍵時入力される文字に反濁音が表示されるのを特徴とする。
【００４０】
また, 辞典機能が備わっていて, 使用者がメニューキー(240)を選択して, 会話辞書を選択してキーボード(250)で英語日本語中国語などを選択しようと思う時翻訳しようと思う国を選択すれば, 使用者が 入力した単語に該当する単語が翻訳されて入力されて, メニューキー(250)で入力方式を数字入力に変換した場合, 各々'a'が表示されたキーボードは′+′で, 'i'が表示されたキーボードは′=′で, 'u'が表示されたキーボードは′÷′で, 'e'が 表示されたキーボードは′-′で, 'o'が 表示されたキーボードは'×'で入力方式が 変換されて, キーボード(210)を打鍵して, 文字を入力する時, 上記 キーボード(210)を4回打鍵して, 入力すれば, 文字入力バーが 移動して, 上記 ひらがなとカタカナを変換するキーボードは 上記 キーボード(220)に配置された#キーボードで, しばしば使う記号および特殊文字は 上記 キーボード(220)に配置された*キーボード(222)に選択されるのを特徴とする。
【発明の効果】
【００４１】
本発明の文字入力方法は, キーボードに配置される子音および母音の配置を効率的にして, 移動通信装置のボタンを見なくて難なく文字を使うことができて, コンピュータのマウスのような機能も一緒にする文字入力方法を提供することができる。
【００４２】
また, 本発明の文字入力方法は, 電話番号を検索する時, 検索する名前の子音だけ入力して探そうと思う電話番号を難なく探すことができる文字入力方法を提供することができる。
【００４３】
また, 本発明の文字入力方法は, 移動通信に備わったメモリーに使用者がしばしば使う文句を保存して, 上記 文句の前字だけ入力しても, 保存された文句がディスプレーに入力されて, 難なく文字メッセージを入力できる文字入力方法を提供することができる。
【００４４】
また, 本発明の文字入力方法は, 辞典機能を添加して, 文字入力部に文字を入力した後辞典機能を使って, 望む国を選択した時, 選択した国の言語で入力された文字が変換されて, 従来よりも実用的な文字入力方法を提供することができる。
【００４５】
また, 本発明の文字入力方法は, 日本語の文字を入力できる移動通信端末機のキーボードに'あ','か','さ','た','な','は','ま','や','ら'および'わ'が数字ボタンに1から0まで日本語の子音が順に割り当てられて, 配置して, 上記 キーボードに配置された数字ボタンを打鍵し, 上記 打鍵された日本語子音に該当する‘a',‘i',‘u',‘e' ‘o'の母音が配置されたキーボード(210)を選択して, 日本語文字を入力するものの, 上記 入力された日本語の文字を 上記 キーボード(220)の#ボタンを入力して, カタカナにも手軽に転換可能な日本語文字入力方法を提供することができる。
【００４６】
また, 本発明の文字入力方法は, 文字を打鍵した後, カタカナで文字を変換する場合にはキーボード(210)に移動して, キーボード(214)で選択すれば文字にうすいだいだい土台色で選択して #を選択すれば, ひらがなでカタカナに変換されるのを提供することができる。
【００４７】
また, 本発明の文字入力方法は, 日本語の文字を表わすキーボードを長く押せば濁音が表示されて, 上記 キーボードを3度連打すれば, 反濁音が表示されることによって, 濁音と反濁音を表わすことによって簡単な操作だけでも日本語の文字を入力できる日本語文字入力方法を提供することができる。
【００４８】
また, 本発明の文字入力方法は, 辞典機能を添加して, 文字入力部に文字を入力した後, 辞典機能を使って, 望む国を選択した時, 選択した国の言語で入力された文字が変換されて, より実用的な日本語文字入力方法を提供することができる。
【００４９】
また, 本発明の文字入力方法は, 携帯電話とコンピュータとともに, 海外旅行をする時, 会話辞書で使うことによって, 言語障壁も解決できる文字入力方法を提供することができる。
【００５０】
また, 本発明の文字入力方法は, SKテレコム, KTF, LGテレコムの無線テレコム会社はインターネット会社のネイバー, ダウム, ヤフーのようなインターネット会社を創り出して有線会社のKTとハナロ通信もインターネット会社を創り出して教育用インターネット リモコン会社を創り出すことによって, 難しい時期の今より多い働き口を創出できる文字入力方法を提供することができる。
【００５１】
また, 本発明の文字入力方法は, 現在韓国において4800万人口でインターネットが約1200万台、携帯電話が3600万台で,日本では1億3000万人中インターネットが約3000万、携帯電話が9000万台インターネットは家族らと共に使うのに, 携帯電話コンピュータは個人が使って, 保安灯安全にも寄与することによって, 一般PCより, DMBより, 3倍以上付加価値がある文字入力方法を提供することができる。
【００５２】
また, 本発明の文字入力方法は, ノートブックパソコンよりとても小さい携帯電話サイズのコンピュータを開発したというところにある。 また韓国と日本の携帯電話をコンピュータ化する文字入力方法を提供することができる。
【発明を実施するための最良の形態】
【００５３】
添付した図面を参照して, 本発明の望ましい実施例に対して説明する。
【００５４】
図1は本発明にともなう文字入力方法のキーボードに子音と母音を配置した図面だ。
【００５５】
2009515272.tif 000007
【００５６】
2009515272.tif 000008
【００５７】
2009515272.tif 000009
【００５８】
2009515272.tif 000010
【００５９】
子音が配置された背パッド(120)には子音と共に特殊文字が共に配置されることが望ましい。
【００６０】
この時, 配置される特殊文字は一般的にしばしば使う文字で, 使用頻度が高いのを中心に配置することが望ましい。
【００６１】
特殊文字を使う方法は以後にまた説明することにする。
【００６２】
2009515272.tif 000011
【００６３】
本発明のともなう文字入力方法(100)には母音が配置されたキーボード(110)と子音が配置されたキーボード(120)とは別途に入力方式を'ハングル'で'英文', '英文'で'数字', また'数字'で'特殊文字'に変えるための背(150)と入力した字を消す削除キー(132)および入力された文字の間で文字入力バー(102)を右側に移動させることができる入力バー移動するのに(134)が備わっている。
【００６４】
また, 後に移動するのに(111)を押せば画面(ページ)を後に移動させることができて, これから移動するのに(112)を押すことになれば画面をこれから移動させることができる。
【００６５】
この時, 背キー(150)は'ハングル→英文→数字'で入力方式を変える背を1回さらに打鍵する場合キーボード(120)にない'特殊文字'入力モードに変わることになることが望ましい。
【００６６】
すなわち, 入力方式を変えるキー(150)を複数回打鍵する時, 'ハングル→英文→数字→特殊文字'の順序で繰り返し,反復されることになる。
【００６７】
また, 通話ボタン(132)と終了ボタン(134)も共に備わることが望ましい。
【００６８】
図 2は本発明にともなう文字入力方法の母音入力方法に対する図面で, も3は本発明にともなう文字入力方法を'マウス'に転換して, 各キーを押した時, 左右上下に移動して選択するように選択検索することができるし, 後に移動するのに, これから移動するのには後にこれから画面(ページ)が移動する状態に対する図面だ。
【００６９】
2009515272.tif 000012
【００７０】
2009515272.tif 000013
【００７１】
2009515272.tif 000014
【００７２】
2009515272.tif 000015
【００７３】
2009515272.tif 000016
【００７４】
2009515272.tif 000017
【００７５】
2009515272.tif 000018
【００７６】
この時, 文字を入力する時, 初声(初めての子音)が入力されなかった状態で母音だけを入力する時は母音が入力されないことが望ましい。
【００７７】
すなわち, 初声が入力されなかった状態で母音が配置されたキー(110)を押すことになれば, 母音が入力されないで, 各々上下左右で文字入力バー(102)を移動させる方向転換する役割をすることになる。
【００７８】
この時, 初声なしで母音だけを入力しようと思う時は, 上記 入力バー移動するのに(134)を1回打鍵した後, 母音が配置されたキー(110)を押せば初声なしで母音だけ入力が可能だ。
【００７９】
また, 待機モード一時において削除キー(132)は通話ボタンで入力バー移動するのに(134)は終了ボタンで使うことができる。
【００８０】
2009515272.tif 000019
【００８１】
この時, 母音キーパッド(110)を複数回打鍵して,  方向転換するのに(110)に変換すること他にも, 文字を入力して所定の時間が経過した後母音キーパッド(110)を押すことになれば, 母音するのにパッド(110)を通じて,文字入力バー(102)を上下左右に移動させることができるようになる。
【００８２】
すなわち, 特別な過程なしで, 文字を入力する途中しばらく止まることになれば, 母音するのにパッド(110)が方向転換するように変わることになるのだ。
【００８３】
したがって, 母音するのにパッド(110)は上下左右に移動して, 選択キー(114)は選択をするのでコンピュータ マウスの役割になるのだ。
【００８４】
図 4は本発明にともなう文字入力方法の数字入力方式に変換された時の母音が配置された背使用に対する図面だ。
【００８５】
2009515272.tif 000020
【００８６】
図 4に表示された特殊記号は入力方式が'数字'に変わった時, 各キーを押した時, 画面に入力される状態を図示したのだ。
【００８７】
2009515272.tif 000021
【００８８】
この時, 各背に配置される順序は図面に提示された順序でなく製作者が任意に決定できることが望ましくて, 各基本母音キーに割り当てられる数式記号も任意に配置できることが望ましい。
【００８９】
図 5は本発明にともなう文字入力方法の実施例に対する図面だ。
【００９０】
図 1ないし 図 5を参照すれば, 本発明による文字入力方法を使って, 文字を入力する場合, 押す背の回数を減らして, 難なく文字を入力できることになる。
【００９１】
2009515272.tif 000022
【００９２】
2009515272.tif 000023
【００９３】
2009515272.tif 000024
【００９４】
2009515272.tif 000025
【００９５】
2009515272.tif 000026
【００９６】
2009515272.tif 000027
【００９７】
2009515272.tif 000028
【００９８】
この時, 文章を構成する単語らの初めての子音だけを入力した時, 完成された文章が入力されるのは, 使用者が移動通信端末機または電話機に備わったメモリーに保存した文章であることが望ましい。
【００９９】
すなわち, 使用者が移動通信端末機または電話機に備わったメニューを通じて, しばしば使用し、自動で完成したい文章をメモリーに保存すれば, 上記 保存された文章に限って, 文章を構成する単語らの初めての子音だけを入力した時, 完成された文章が入力されることができるようになる。
【０１００】
この時, 上記 メモリーに保存される文章は使用者が任意に削除, 修正および添加ができることが望ましい。
【０１０１】
また, 大きくてキーボード(110)を方向により操作すれば画面上の文字入力バー(102)を本人が希望する方向に移動させることができる。
【０１０２】
図 6は本発明にともなう文字入力方法による電話番号検索方法に対する図面だ。
【０１０３】
図 6を参照すれば, 移動通信端末機または電話機に保存された人の電話番号を検索するために, 名前を皆入力する必要なしで名前を構成する字の最初の文字を入力すれば電話番号が検索されることになる。
【０１０４】
2009515272.tif 000029
【０１０５】
2009515272.tif 000030
【０１０６】
2009515272.tif 000031
2009515272.tif 000032
【０１０７】
2009515272.tif 000033
【０１０８】
2009515272.tif 000034
【０１０９】
表1は本発明の文字入力方法にともなう母音入力方法に対する図面だ。
【０１１０】
[表 1]
2009515272.tif 000035
【０１１１】
2009515272.tif 000036
【０１１２】
表1の最も上部に位置した点(・,‥)はボタンを押す回数を現わしながら, '〜'表示はボタンを押して一定時間が経過するということを現わすのだ。
【０１１３】
2009515272.tif 000037
【０１１４】
2009515272.tif 000038
【０１１５】
2009515272.tif 000039
【０１１６】
2009515272.tif 000040
【０１１７】
図 7および 図 8は本発明にともなう文字入力方法による特殊文字入力方法に対する図面だ。
【０１１８】
図 1および 図 7を参照すれば, 開いて閉じる括弧の()を入力しようと思う時はキーボード(120)の1度ボタンを選択して*(122)を1回打鍵といえば括弧"("が開かれて文字を打った後キーボード(120)の1度ボタンを選択して*(122)を1回打鍵といえば括弧")"が閉じられる。
【０１１９】
また, 2回打鍵しても括弧")"が閉じられる。 これは"はい)"のような表記に使うことができる。
【０１２０】
また, キーボード(120)の2,3,4,7,8,0番ボタンにある特殊文字は 上記 キーボード(120)の数字ボタンを選択して(122)を1回打鍵といえば一番の特殊文字が選択されて2回打鍵といえば2番目特殊文字が打鍵される。 ずっと繰り返して,打鍵といえば奇数では一番の偶数では2番目特殊文字が選択される。
【０１２１】
ただ, 8番のボタンの特殊文字を3,4,5回打鍵といえばずっと・・・・・〜を選択することができる。
【０１２２】
図 1および 図 8を参照すれば, 引用符‘’または“”を打鍵しようと思う時はキーボード(120)の6番ボタンを選択して*(122)を1回打鍵といえば‘になって2回打鍵といえば“になりながら, 6番ボタンを選択して*(122)を1回打鍵といえば,’になって2回打鍵といえば”となる。
【０１２３】
したがって, ‘’または“”を各1打各2打で選択する。
【０１２４】
また, キーボード(120)の特殊文字となることがあるハングル子音に表記されていて便利に選択できることを表す表2だ。
【０１２５】
[表2]
2009515272.tif 000041
【０１２６】
それ以外の特殊文字はキーボード(150)で選択する。
【０１２７】
図 9は本発明にともなう文字入力方法による辞書機能使用に対する図面だ。
【０１２８】
本発明による文字入力方法(100)は辞典機能が備わっていて,使用者がメニューキー(140)を選択して, 会話辞書を選択してキー(150)キーボードで英語日本語中国語などを選択使用する。 翻訳しようと思う国を選択すれば, 使用者が入力した単語に該当する単語が翻訳されて入力されることになる。
【０１２９】
例えば, 我が国言語で'謝罪'を入力した後, 上記 キー(150)を押せば'謝罪'を翻訳できる国家らを使用者が選択することができるように表示される。
【０１３０】
この時, '英語'を選択すれば'謝罪'と入力した文字が'apple'に変わることになる。
【０１３１】
また, '謝罪'を入力した後キー(150)を押して'日本語'を選択すれば'謝罪'と入力した文字が日本語に変わることになる。
【０１３２】
これは他国語をハングルに変える過程も同一なのが望ましい。
【０１３３】
この時, 辞書機能を使うためには英語, 日本語, 中国語キー(150)を基本の移動通信端末機または電話機に各国の言語をダウンロードしなければならない。
【０１３４】
この時, 移動通信端末機または電話機に基本で備わっている言語はダウンロードする必要がなくて, 基本で備わっている言語の他に必要な言語がある場合にはダウンロードしてこそ翻訳が可能だ。
【０１３５】
この時, 使用者がメモリーに保存したしばしば使う文章または単語の場合, 文字を入力する時と同じように文章または単語の初めての子音を入力すれば, 完成された文章または単語が入力されて, 事前機能を簡単に使用できることが望ましい。
【０１３６】
したがって, 文字メッセージ, インターネット, 会話辞書は, メニューキー(140)で選択した後使うことが望ましい。
【０１３７】
2009515272.tif 000042
【０１３８】
完成された文章が入力されてキー(150)を選択すれば図3で見るようにどこの国の言語で翻訳するのかを選択する画面が浮かび上がることになる。
【０１３９】
この中で望む国を選択すれば, 選択した国の言語で翻訳されたのと発音が共に表示されることになる。
【０１４０】
2009515272.tif 000043
【０１４１】
また, 日本語, 中国語，ハングルも声文だから(ハロー)式によりハングルで解いて, 表記される。
【０１４２】
この時, 選択できる国は図面に表示された国他にも移動通信端末機または電話機にダウンロードした国の言語が皆表示されて, 選択することができるようにすることが望ましい。
【０１４３】
また, 削除するのに削除キー(132)を選択すれば削除される。
【０１４４】
また, クリック位置で後に文字がない時, 選択するのに(114)を二度クリックすれば文字がだいだい色に選択されて, 削除することができる。
【０１４５】
2009515272.tif 000044
【０１４６】
以下, 添付した図面を参照して, 本発明にともなう文字入力方法の他の実施例に対して詳細に説明する。
【０１４７】
図 10は本発明にともなう文字入力方法の他の実施例で日本語入力のためのキーボードに日本語の音節が配置された姿を図示した図面で, 図11は本発明にともなう文字入力方法の他の実施例でひらがなを入力する方法を図示した図面であり, 図12は本発明にともなう文字入力方法の他の実施例でひらがなの濁音が表示される日本語音節を図示した図面で, 図13は本発明にともなう文字入力方法の他の実施例でひらがなの反濁音が表示される日本語音節を図示した図面であり, 図14は本発明にともなう文字入力方法の他の実施例でカタカナを入力する方法を図示した図面で, 図15は本発明にともなう文字入力方法の他の実施例でカタカナの濁音が表示される日本語音節を図示した図面であり, 図16は本発明にともなう文字入力方法の他の実施例でカタカナの反濁音表示される日本語音節を図示した図面だ。
【０１４８】
図 10ないし 図 16を参照すれば,日本語のひらがなとカタカナの音節中ひらがなの子音を‘あ',‘か',‘さ',‘た',‘な',‘は',‘ま',‘や',‘ら',‘わ'がキーボード(220)に配置されるのに,'あ'は1番キーボタンに配置されて,'か'は2番キーボタンに配置されて,'さ'は3番キーボタンに配置されて,'た'は4番キーボタンに配置されて,'な'は5番キーボタンに配置されて,'は'は6番キーボタンに配置されて,'ま'は7番キーボタンに配置されて,'や'は8番キーボタンに配置されて,‘ら'は9番キーボタンに配置されて,‘わ'は0番キーボタンに配置されることが望ましい。
【０１４９】
また, 上記 キーボード(220)に配置された‘あ',‘か',‘さ',‘た',‘な',‘は',‘ま',‘や',‘ら',‘わ'はその音節のアルファベット発音表示の‘a',‘k',‘s',‘t',‘n',‘h',‘m',‘y',‘r',‘w'が 上記 キーボード(220)に配置された音節に合うように子音が順に配置されることが望ましい。
【０１５０】
一方, 日本語の‘a',‘i',‘u',‘e',‘o'の母音は, キーボード(210)に配置することが望ましい。
【０１５１】
ただ, うをんと交換して、うは1番うとともに使う。
【０１５２】
2009515272.tif 000045
【０１５３】
また, 上記 キーボード(220)の配置された数字するのにパッドを打鍵する時は実質英文字がうすいだいだい色と視覚的に表示された, 上記 数字するのにパッドを（受ける）乗って豊で選択された文字は 上記 キーボード(220)を選択した時だけ表示されることが望ましい。
【０１５４】
また, 上記 キーボード(220)の数字キーを繰り返し, 打鍵した時には最終文字だけ実質英文字(うすいだいだい色)だけ表示される。 
【０１５５】
2009515272.tif 000046
【０１５６】
2009515272.tif 000047
【０１５７】
したがって, 濁音と発音される文字を入力する時は選択されるキーボード(210)を長く押すことによって, 上記 濁音と発音される文字を入力できるのだ。
【０１５８】
2009515272.tif 000048
【０１５９】
また, 上記 日本語の半濁音を表わすために3回連続打鍵することになれば反濁音がある文字が入力されるのに, 4回打鍵する場合また初めて表示された文字が選択されて, 5回打鍵する場合には, 濁音と表示される文字が選択されて, 6回打鍵することになれば, 反濁音と表示される文字がサイクルリングになりながら入力されながら, 上記 のようなサイクルリングになるのは2回だけ選択されながら, 3回目には次の文章入力のために文字入力バー(カーソル)が移動して, また 上記 文字入力時約3秒間文字を入力しないで待機状態であることになる時にも 上記 文字入力バーは移動する。
【０１６０】
また, 上記 日本語の半濁音を表わすために3連打することになれば半濁音がある文字が入力されるのに, 4連打することになれば, 文字入力バーが移動する。
【０１６１】
また, 詳述した通り, 日本語を入力する時, 上記 ひらがなとカタカナを入力するのは 上記 ーボード(220)の '#'キーボードを入力することによって, 上記 入力されたひらがなの音節を 上記 ひらがなまたはカタカナで選択転換できることが望ましい。
【０１６２】
また, 上記 日本語の入力中漢字を入力する時は, 上記 日本語の音節を入力した後, 変換キーボード(250)を選択すれば, 同じ系列の漢字に変換されることによって, 上記 キーボード(210)に移動 上記 キーボード(214)で選択入力することができる。
【０１６３】
また, キーボード(220)には子音と共に特殊文字が共に配置されることが望ましい。
【０１６４】
この時, 配置される特殊文字は一般的にしばしば使う文字で, 使用頻度が高いのを中心に配置することが望ましい。
【０１６５】
また, 通常の移動通信端末機で使われる通話ボタン(232)と終了ボタン(234)も共に備わることが望ましい。
【０１６６】
また, 待機モード一時は削除キー(232)は通話ボタンで入力バー移動するのに(234)は終了ボタンで使うことができる。
【０１６７】
また, しばしば使う記号および特殊文字はキーボード(220)を選択して, 上記 キーボード(220)に配置された*キーボタン(222)を選択すれば 上記 記号および特殊文字を入力できることが望ましい。
【０１６８】
一方, 図14ないし図16に図示されたカタカナの場合も詳述したひらがなの入力方法と同一なので, 上記 カタカナの入力方法に対する説明は省略することにする。
【０１６９】
図17は本発明にともなう文字入力方法の他の実施例で'マウス'に転換して, 各キーを押した時, 左右上下に移動するのに, 選択するのに, 後に移動するのに, これから移動するのにおよびページ移動するのにを図示した図面で, 図18は本発明にともなう文字入力方法の他の実施例で入力方式が'数字'に変わった時, 各キーを押した時, 画面に入力される状態に対する図面だ。
【０１７０】
図 17ないし 図 18を参照すれば, 入力方式を'日本語'で'中国語', '英語', '数字', 特殊文字に変えるための変換キーボード(250)と入力した字を消すチウムキ(232)および入力された文字の間で文字入力バー(カーソル)を右側に移動させることができる入力バー移動キー(234)が備わっている。
【０１７１】
また, キーボード(210)を複数回打鍵して, 文字を入力して約3秒間時間が経過した後キーボード(210)を押すことになれば, 上記 キーボード(210)を通じて, 文字入力バー(カーソル)を上下左右に移動させることができるようになる。
【０１７２】
すなわち, 詳述した通り, 文字を入力する時, 上記 文字が入力されなかった状態でキーボード(210)を押すことになれば, 文字が入力されないで, 画面に表示される文字入力バー(カーソル)を上下左右に移動させる方向転換するのにの役割をすることになる。
【０１７３】
続いて, 日本語文字をキーボード(220)で入力した後, 一定時間が経過すれば 上記 キーボード(210)に配置された'a'キーを押せば文字入力バー(カーソル)を右側に移動させて, 'e'が配置されたキーを押せば文字入力バー(カーソル)を左に移動させて, 'o'が配置されたキーを押せば文字入力バー(カーソル)を上に移動させて'u'が配置されたキーを押せば文字入力バー(カーソル)を下方に移動するのだ。
【０１７４】
詳述した通り, キーボード(210)を使って, 文字入力バー(カーソル)を上下左右に移動させる方法に対してさらに詳しく説明しようとするなら, 詳述したように母音キーボード(210)で‘a',‘i',‘u',‘e',‘o'が表示されたキーを4回以上打鍵時文字入力バー(カーソル)を上下左右に移動させる方向転換するのにモードに変換されるのだ。
【０１７５】
したがって, 特別な過程なしで文字を入力する途中しばらく止まることになれば, キーボード(210)が方向転換するように変わることになって, 上記 キーボード(210)は上下左右に移動して, 選択するのに(214)は選択をするのでコンピュータ マウス役割になるのだ。
【０１７６】
また, 変換キーボード(250)は入力方式を'日本語'で'中国語', '英語'で'数字'特殊文字に変えるための言語モード転換するのに, 上記 変換キーボード(250)を一度打鍵といえば, '日本語'で入力モードを変換できて, 上記 変換キーボード(250)を二度打鍵といえば, '中国語'で入力モードを変換できて, 上記 変換キーボード(250)を三度打鍵することになれば, '英語'で入力モードを変換できて, 上記 四度打鍵することになれば数字入力モードに変換できて, 五度打鍵することになれば, 特殊文字モードに変換することができる。
【０１７７】
一方, 入力した字を消す削除キー(232)および入力された文字の間で文字入力バー(カーソル)を右側に移動させることができる入力バースペイシング(234)が備わっている。
【０１７８】
また, 後に移動するのに(211)を押せば画面(ページ)を後に移動させることができて, これから移動するのに(212)を押すことになれば画面をこれから移動させることができる。
【０１７９】
一方,変換キーボード(250)は'日本語→中国語→英語→数字→特殊文字'の順序で循環して, 反復されることになる。
【０１８０】
また, 変換キーボード(250)を押して, 入力方式を'数字'に変える場合, 上記 ‘a',‘i',‘u',‘e',‘o'が配置されたキーは各々′+′, ′-′, ′×′, ′÷′, ′=′の機能をすることになる。
【０１８１】
すなわち, 例えば,'1+3'を計算する時は 上記 変換キーボード(250)を押して, 入力方式を'数字'に変換した後, 数字'1'を押した後, 'a'が表示されたキーを押せば'+'が入力されて, また数字'3'を押した後'i'が表示されたキーを押せば'='が入力されて'1+3=4'が入力されながら, '1+3'の結果が計算されることになる。
【０１８２】
この時, 各キーボード(210)に配置される順序は図面に提示された順序でなく製作者が任意に決定できることが望ましくて, 各基本母音キーに割り当てられる装飾記号も任意に配置できることが望ましい。
【０１８３】
また, 辞典機能は, 使用者がメニューキー(240)を選択して, 会話辞書を選択してキーボード(250)キーボードで英語韓国語中国語などを選択して, 上記 翻訳しようと思う国の言語を選択すれば, 使用者が入力した単語に該当する単語が翻訳されて入力されることになる。
【０１８４】
すなわち, 例えば, メニューキー(240)を選択して会話辞書を選択した後日本語で'リンゴ。'を入力した後, 上記 キーボード(250)を押せば使用者が選択した国家の言語に変換されるのに, もし韓国語での変換を選択すれば, '謝罪'に変換されて, 上記 日本語で入力された'リンゴ。'の文字を翻訳するものの, 翻訳された'リンゴ。'日本語文字の横に'Sa gua'アルファベット発音が表示される。
【０１８５】
この時, '英語'を選択すれば'リンゴ。'と入力した文字が'apple'に変わることになる。
【０１８６】
また, '謝罪'を入力した後キー(250)を押して'中国語'を選択する場合にも詳述した通り 上記 入力された文字を使用者が希望する国の言語に変換させて,翻訳できるのだ。
【０１８７】
また, 詳述した辞典機能を使うためには英語, 中国語, および韓国語キーボード(250)を通じて翻訳できるのに, 上記 翻訳のためには通常の周知された有線または無線通信を通じて, 移動通信端末機または電話機で各国の言語をダウンロードしなければならない。
【０１８８】
すなわち, 移動通信端末機または電話機に基本で備わっている言語はダウンロードする必要がなくて, 基本で備わっている言語の他に使用者が希望する言語をダウンロードして,色々な種類の言語を翻訳できることが望ましい。
【図面の簡単な説明】
【０１８９】
【図１】本発明にともなう文字入力方法のキーボードに子音と母音を配置した図面,
【０１９０】
【図２】本発明にともなう文字入力方法中母音入力方法に対する図面,
【０１９１】
【図３】本発明にともなう文字入力方法を'マウス'に転換して, 各キーを押した時, 左右上下に移動して選択するように選択検索することができるし, 後に移動するのに, これから移動するのには後にこれから画面(ページ)が移動する状態に対する図面,
【０１９２】
【図４】本発明にともなう文字入力方法の入力方式が'数字'に変わった時, 各キーを押した時, 画面に入力される状態に対する図面,
【０１９３】
【図５】本発明にともなう文字入力方法の実施例を表す図面,
【０１９４】
【図６】本発明にともなう文字入力方法による電話番号検索方法に対する図面,
【０１９５】
【図７】本発明にともなう文字入力方法による特殊文字入力方法に対する図面,
【図８】本発明にともなう文字入力方法による特殊文字入力方法に対する図面,
【０１９６】
【図９】本発明にともなう文字入力方法による事前機能使用に対する図面,
【０１９７】
【図１０】本発明にともなう文字入力方法の他の実施例で日本語入力のためのキーボードに日本語の音節が配置された姿を図示した図面,
【０１９８】
【図１１】本発明にともなう文字入力方法の他の実施例でひらがなを入力する方法を図示した図面,
【０１９９】
【図１２】本発明にともなう文字入力方法の他の実施例でひらがなの濁音が表示される日本語音節を図示した図面,
【０２００】
【図１３】本発明にともなう文字入力方法の他の実施例でひらがなの反濁音が表示される日本語音節を図示した図面,
【０２０１】
【図１４】本発明にともなう文字入力方法の他の実施例でカタカナを入力する方法を図示した図面,
【０２０２】
【図１５】本発明にともなう文字入力方法の他の実施例でカタカナの濁音が表示される日本語音節を図示した図面,
【０２０３】
【図１６】本発明にともなう文字入力方法の他の実施例でカタカナの反濁音が表示される日本語音節を図示した図面,
【０２０４】
【図１７】本発明にともなう文字入力方法の他の実施例で'マウス'に転換して, 各キーを押した時, 左右上下に移動するのに, 選択するのに, 後に移動するのに, これから移動するのにおよびページ移動するのにを図示した図面,
【０２０５】
【図１８】本発明にともなう文字入力方法の他の実施例で入力方式が'数字'に変わった時, 各キーを押した時, 画面に入力される状態に対する図面だ。
【図１】
2009515272.tif 000055
【図２】
2009515272.tif 000056
【図３】
2009515272.tif 000057
【図４】
2009515272.tif 000058
【図５】
2009515272.tif 000059
【図６】
2009515272.tif 000060
【図７】
2009515272.tif 000061
【図８】
2009515272.tif 000062
【図９】
2009515272.tif 000063
【図１０】
2009515272.tif 000064
【図１１】
2009515272.tif 000065
【図１２】
2009515272.tif 000066
【図１３】
2009515272.tif 000067
【図１４】
2009515272.tif 000068
【図１５】
2009515272.tif 000069
【図１６】
2009515272.tif 000070
【図１７】
2009515272.tif 000071
【図１８】
2009515272.tif 000072
【国際調査報告】
2009515272.tif 000073
2009515272.tif 000074